(57)【要約】【課題】簡単な構成で高品質化・高速化できるＣＡＴＶシステム及び光送受信機を提供する。【解決手段】ＨＦＣ伝送方式のＣＡＴＶシステムにおいて，前記ＣＡＴＶセンターに備えられた波長分割多重化装置と，前記双方向増幅装置の何れかには前記端末側から電気信号として出力された上り信号を，前記光送受信機において送受信される光信号とは異なる波長の光信号に変換して送出する光送信機と，波長分割多重化装置を同一筐体に収容した光送受信機とを備え，前記双方向増幅装置に備えられた光送信機と前記光送受信機に備えた前記波長分割多重化装置とをそれぞれ光伝送路でもって接続することによって，前記下り用光伝送路及び前記上り用光伝送路若しくは何れか一方の伝送路を利用して，ＣＡＴＶセンターと前記光送受信機との間を波長分割多重された光信号が伝送されるように構成したＣＡＴＶシステム及び光送受信装置。【選択図】  図１
2005236412.tif 000002
【特許請求の範囲】
【請求項１】
端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機において，
当該光送受信機は，光送受信機と少なくとも１つの波長分割多重化装置とが同一筐体に収納され，
前記波長分割多重化装置と前記光送受信機の光送信機とが光伝送路で接続されるように構成するか，若しくは，前記波長分割多重化装置と前記光送受信機の光受信機とが光伝送路で接続されるよう構成するか，それとも両方を備えるように構成すると共に，前記波長分割多重化装置は前記上り用光伝送路と下り用光伝送路以外に外部から光伝送路を前記筐体に引き込んで接続できるように構成することで，
前記光送受信機は前記ＣＡＴＶセンターと接続された前記下り用光伝送路及び上り用光伝送路若しくは何れか一方の伝送路を介して波長分割多重された光信号を送受信可能としたことを特徴とした光送受信装置。
【請求項２】
端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機を備えたＣＡＴＶシステムにおいて，
前記ＣＡＴＶセンターに備えられた波長分割多重化装置と，
前記双方向増幅装置の何れかには前記端末側から電気信号として出力された上り信号を，前記光送受信機において送受信される光信号とは異なる波長の光信号に変換して送出する光送信機と，
請求項１に記載の光送受信機とを備え，
前記双方向増幅装置に備えられた光送信機と前記光送受信機に備えた前記波長分割多重化装置とをそれぞれ光伝送路でもって接続することによって，前記下り用光伝送路及び前記上り用光伝送路若しくは何れか一方の伝送路を利用して，ＣＡＴＶセンターと前記光送受信機との間を波長分割多重された光信号が伝送されるように構成したことを特徴としたＣＡＴＶシステム。
【請求項３】
前記双方向増幅器に備えた光送信機をユニット化して，当該光送信機ユニットを前記双方向増幅器に着脱自在に固着することにより，
前記双方向増幅器は，前記ユニットを取り外した時は前記光送受信機から送出される下り電気信号と端末側からの上り電気信号を伝送する増幅器として動作し，前記ユニットを取り付けたときは前記光送受信機から送出される下り電気信号を増幅して端末側へ送出すると共に端末側からの上り電気信号を光変換した光信号を前記光送受信機へ送出可能なように構成したことを特徴とした請求項２に記載のＣＡＴＶシステム。
【発明の詳細な説明】
【技術分野】
【０００１】
本発明は，ＣＡＴＶセンターから端末側へ下り信号を伝送すると共に，前記端末側から前記ＣＡＴＶセンターへ上り信号を伝送するＨＦＣ（Ｈｉｂｒｉｄ  Ｆｉｂｅｒ  Ｃｏａｘ：以下ＨＦＣと記載する）伝送方式のＣＡＴＶシステムシステム及び当該システムに用いる光送受信機に関する。
【背景技術】
【０００２】
従来のＨＦＣ伝送方式のＣＡＴＶシステムは，ＣＡＴＶセンターからの下り信号を加入者宅の近辺までは下り用光伝送路で伝送し，光／電気変換装置で電気信号に変換した後，同軸ケーブルにて各加入者宅まで伝送すると共に，加入者宅からの上り信号も同じ同軸ケーブルで伝送し，電気／光変換装置で光信号に変換した後，上り用光伝送路でＣＡＴＶセンターまで伝送する構成となっていた。
このようなＨＦＣ伝送方式においては，その双方向性や高速性を活かして，ＣＡＴＶインターネットやＣＡＴＶ電話等のサービスが期待できるが，こうしたＣＡＴＶネットワークの更なる高速化に対応し，また上り流合雑音による影響を軽減することでシステムのＣ／Ｎを改善することで高品質化に対応するためにノードの細分化を行うのである。    （例えば，特許文献１参照）
【０００３】
【特許文献１】特開２００２−１０１４０１号公報
【発明の開示】
【発明が解決しようとする課題】
【０００４】
しかし，従来のＨＦＣ伝送方式によるＣＡＴＶシステムではノードの細分化を行って，ＣＡＴＶネットワークの高速化・高品質化に対応する方法がとられるのであるが，新設のシステムであれば予め高速伝送可能なシステムを構築できるのであるが, 既設のシステムを高速化・高品質化するためノードを細分化するためには，例えば電気信号伝送路に介設した幹線分岐増幅器等の双方向増幅器を上り信号用の光送信機を備えたものに変更したり，光送信機を内蔵させたりし，加えて当該光送信機（言い換えれば幹線分岐増幅器等の双方向増幅装置）から送出される光信号を新しく光ファイバーを増設することによって前記光送信機とＣＡＴＶセンター側とを接続する方法が考えられていた。
ところがこうした伝送方式にすれば，新たに上り用の光ファイバが必要となり，このため光ファイバの増設工事を行うか，光ファイバの収納本数の多い光ファイバケーブルに変更する必要が生じ，この結果ＣＡＴＶシステム全体の改造コストが増加するといった問題があった。
そこで本願においては，こうした問題点を解決するためになされたものであり，
その目的は，低コストで通信品質の向上ができるＣＡＴＶシステムに適した光送受信機を提供することにある。
他の目的は，設置工事の簡単なＣＡＴＶシステムに適した光送受信機を提供することに有る。
他の目的は，既存のシステムを利用して簡単な構成で通信品質の向上ができるＣＡＴＶシステムに適した光送受信機を提供することにある。
その目的は，低コストで通信品質の向上ができるＣＡＴＶシステムを提供することにある。
他の目的は，設置工事の簡単なＣＡＴＶシステムを提供することにある。
他の目的は，既存のシステムを利用して簡単な構成で通信品質の向上ができるＣＡＴＶシステムを提供することにある。
【課題を解決するための手段】
【０００５】
上記課題を解決するために，請求項１の発明は，端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機において，当該光送受信機は，光送受信機と少なくとも１つの波長分割多重化装置とが同一筐体に収納され，前記波長分割多重化装置と前記光送受信機の光送信機とが光伝送路で接続されるように構成するか，若しくは，前記波長分割多重化装置と前記光送受信機の光受信機とが光伝送路で接続されるよう構成するか，それとも両方を備えるように構成すると共に，前記波長分割多重化装置は前記上り用光伝送路と下り用光伝送路以外に外部から光伝送路を前記筐体に引き込んで接続できるように構成することで，前記光送受信機は前記ＣＡＴＶセンターと接続された前記下り用光伝送路及び上り用光伝送路若しくは何れか一方の伝送路を介して波長分割多重された光信号を送受信可能と構成される。
【０００６】
請求項２の発明は，端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機を備えたＣＡＴＶシステムにおいて，前記ＣＡＴＶセンターに備えられた波長分割多重化装置と，前記双方向増幅装置の何れかには前記端末側から電気信号として出力された上り信号を，前記光送受信機において送受信される光信号とは異なる波長の光信号に変換して送出する光送信機と，請求項１に記載の光送受信機とを備え，前記双方向増幅装置に備えられた光送信機と前記光送受信機に備えた前記波長分割多重化装置とをそれぞれ光伝送路でもって接続することによって，前記下り用光伝送路及び前記上り用光伝送路若しくは何れか一方の伝送路を利用して，ＣＡＴＶセンターと前記光送受信機との間を波長分割多重された光信号が伝送されるように構成される。
【０００７】
請求項３の発明は，請求項２に記載のＣＡＴＶシステムにおいて，前記双方向増幅器に備えた光送信機をユニット化して，当該光送信機ユニットを前記双方向増幅器に着脱自在に固着することにより，前記双方向増幅器は，前記ユニットを取り外した時は前記光送受信機から送出される下り電気信号と端末側からの上り電気信号を伝送する増幅器として動作し，前記ユニットを取り付けたときは前記光送受信機から送出される下り電気信号を増幅して端末側へ送出すると共に端末側からの上り電気信号を光変換した光信号を前記光送受信機へ送出可能なように構成される。
【発明の効果】
【０００８】
請求項１の発明によれば，端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機において，当該光送受信機は，光送受信機と少なくとも１つの波長分割多重化装置とが同一筐体に収納され，前記波長分割多重化装置と前記光送受信機の光送信機とが光伝送路で接続されるように構成するか，若しくは，前記波長分割多重化装置と前記光送受信機の光受信機とが光伝送路で接続されるよう構成するか，それとも両方を備えるように構成すると共に，前記波長分割多重化装置は前記上り用光伝送路と下り用光伝送路以外に外部から光伝送路を前記筐体に引き込んで接続できるように構成することで，前記光送受信機は前記ＣＡＴＶセンターと接続された前記下り用光伝送路及び上り用光伝送路若しくは何れか一方の伝送路を介して波長分割多重された光信号を送受信可能としたので，セルを分割することによって増えるノードからの光信号を取り入れて波長分割多重することで，少ない光ファイバを使って上り光信号を送出できるので，加入者の増加に伴う通信品質の向上や通信速度の高速化に簡単に安価に対応できる。
【０００９】
請求項２の発明によれば，端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機を備えたＣＡＴＶシステムにおいて，前記ＣＡＴＶセンターに備えられた波長分割多重化装置と，前記双方向増幅装置の何れかには前記端末側から電気信号として出力された上り信号を，前記光送受信機において送受信される光信号とは異なる波長の光信号に変換して送出する光送信機と，請求項１に記載の光送受信機とを備え，前記双方向増幅装置に備えられた光送信機と前記光送受信機に備えた前記波長分割多重化装置とをそれぞれ光伝送路でもって接続することによって，前記下り用光伝送路及び前記上り用光伝送路若しくは何れか一方の伝送路を利用して，ＣＡＴＶセンターと前記光送受信機との間を波長分割多重された光信号が伝送されるように構成したので，既設のＨＦＣ伝送システムを用いたＣＡＴＶシステムの光ファイバーを利用することで，新たに光ファイバーを増設したり，光ファイバーの収納本数の多い光ファイバーケーブルを使用せずともノードの細分化を行う事ができ，簡単な工事で，延いては低コストで通信品質の向上ができるＣＡＴＶシステムを提供できるのである。また，既設のＨＦＣ伝送システムばかりでなく，新しく施設するシステムにおいても，コストが安価にノードの細分化ができることで，構築の容易なＣＡＴＶシステムを提供できるのである。
【００１０】
請求項３の発明によれば，請求項２の何れかに記載のＣＡＴＶシステムにおいて，前記双方向増幅器に備えた光送信機をユニット化して，当該光送信機ユニットを前記双方向増幅器に着脱自在に固着することにより，前記双方向増幅器は，前記ユニットを取り外した時は前記光送受信機から送出される下り電気信号と端末側からの上り電気信号を伝送する増幅器として動作し，前記ユニットを取り付けたときは前記光送受信機から送出される下り電気信号を増幅して端末側へ送出すると共に端末側からの上り電気信号を光変換した光信号を前記光送受信機へ送出可能なように構成ので，通信速度の高速化を必要としないときや加入者の少ない時などは同軸ケーブルを用いてネットワークを構築しておいて，通信速度の高速化や加入者の増加による流合雑音を低減させる必要が生じたときはセルを細分化するために，適宜必要な双方向増幅装置に前記ユニットを取り付ければ，当該ユニットからの光信号を光送受信機の波長分割多重化装置において波長分割多重することができるので，既設の光ファイバを用いてネットワークの高速化・高品質化に容易に対応することが可能となるのである。
【発明を実施するための最良の形態】
【００１１】
以下に，本発明を具体化した実施形態の例を，図面を基に詳細に説明する。
図１は本発明に係る光送受信機の構成を示す概略ブロック図であり，（ａ）は実施例，（ｂ）は異なる実施例を示す。図２は本発明に係るＣＡＴＶシステム全体構成を示す概略ブロック図であり，図３は本願の異なるＣＡＴＶシステムの全体構成を示す概略ブロック図である。
【実施例１】
【００１２】
図１において１３は本願の実施形態における光送受信機であり，（ａ），（ｂ）にそれぞれ異なる実施例の構成を示す概略ブロック図である。
先ず図１（ａ）に基づいて説明すると，光送受信機１３は波長分割多重化装置５と光送信機１３ａと光受信機１３ｂとからなり，それぞれ同一の筐体３３に収容されており，前記波長分割多重化（ＷＤＭ：Ｗａｖｅｌｅｎｇｔｈ  Ｄｉｖｉｓｉｏｎ  Ｍｕｌｔｉｐｌｅｘｉｎｇ  以下ＷＤＭと呼ぶ）装置５と光送信機１３ａとは光ファイバ３３ａを介して接続されている。
【００１３】
下り信号の経路について説明すると，ＣＡＴＶセンターから送出された下り光信号は図示されていない下り用光ファイバを介して光入力（下り）Ｔ２から光送受信機１３の筐体３３内に引き込まれて，光受信機１３ｂに入力される。入力された下り光信号は前記光受信機１３ｂにおいて，下り電気信号に変換されて幹線接続端子５から同軸伝送路に送出され各種中継機器を介して加入者宅の端末装置へ伝送される。
【００１４】
次に上り信号について説明する。加入者宅の端末装置から送出された上り電気信号は各種中継機器を介して，幹線接続端子５から光送信機１３ａに入力される。入力された上り電気信号は前記光送信機１３ａにおいて，上り電気信号に変換された後，光ファイバ３３ａを介してＷＤＭ装置５に入力される。
ＷＤＭ装置５は異なる波長の光信号を波長分割多重する装置であり，この装置を通した光信号は，Ｔ１から筐体３３に引き込まれた図示されていない上り用光ファイバを介してＣＡＴＶセンターへ送出される。
尚，前記ＷＤＭ装置５は着脱自在に構成しても良い。
【００１５】
更に本願の光送受信機１３にはＴ３に示す光入力が備えられており，当該光入力Ｔ３から引き込まれた光ファイバは前記ＷＤＭ装置５に入力されるように構成されており，当該ＷＤＭ装置５において，前記光入力Ｔ３から引き込まれた光ファイバによって伝送された光信号と，前記光ファイバ３３ａによって入力された上り光信号とが波長分割多重されて上り用光ファイバに出力されるのである。
本願の実施例においては，光送信機１３ａから出力される上り光信号は波長が１．３１μｍの光信号を使用している。
また，光入力Ｔ３から引き込まれる光信号は端末側からの上り光信号であり波長が１．５５μｍの光信号を使用することで，異なる波長の上り光信号を前記ＷＤＭ装置５において波長分割多重させて光出力Ｔ１から上り用光ファイバを介してＣＡＴＶセンターへ送出されるように構成されている。
尚，光信号の波長は１つの実施例を示すものであり，前記光送信機１３ａから出力される光信号の波長と光入力Ｔ３から入力される光信号の波長は，上述の反対であっても良いし，ＷＤＭ装置５において波長分割多重できる波長関係であれば良い。更にＷＤＭ装置５には主たる光入力（つまりは光送信機１３ａの出力信号）の他に，外部からの光信号を１つ入力するように構成した例を示したが，この実施例に限定されるものではなく複数本入力できるように構成しても良い。
【００１６】
次に図１（ｂ）について説明する。この実施例は上述の実施例に加えて光送受信機１３と接続されるＣＡＴＶセンターからの下り用光ファイバにも波長分割多重された光信号を伝送するように構成したものである。
ＣＡＴＶセンターから送出された下り光信号は図示されていない下り用光ファイバを介して光入力（下り）Ｔ２から光送受信機１３の筐体３３内に引き込まれて，ＷＤＭ装置８に入力される。ＷＤＭ装置８を通過した下り光信号は光ファイバ３３ｂを介して光受信機１３ｂに入力される。入力された下り光信号は前記光受信機１３ｂにおいて，下り電気信号に変換されて幹線接続端子５から同軸伝送路に送出され各種中継機器を介して加入者宅の端末装置へ伝送される。
更に本願の光送受信機１３にはＴ３に加えてＴ４に示す光入力が備えられており，当該光入力Ｔ４から引き込まれた光ファイバは前記ＷＤＭ装置８に入力されるように構成されており，当該ＷＤＭ装置８において，前記光入力Ｔ４から引き込まれた光ファイバによって伝送された光信号と，前記下り用光ファイバから入力された下り光信号とが波長分割多重されるのである。
【００１７】
本願の実施例においては，光受信機１３ｂに入力される下り光信号は波長が１．３１μｍの光信号を使用している。
また，光入力Ｔ４から引き込まれる光信号は端末側からの上り光信号であり波長が１．５５μｍの光信号を使用することで，異なる波長の上り光信号を前記ＷＤＭ装置８において波長分割多重させて光出力Ｔ１から引き込まれた上り用光ファイバを介してＣＡＴＶセンターと接続されるように構成されている。
尚，光信号の波長は１つの実施例を示すものであり，前記光受信機１３ｂに入力される光信号の波長と光入力Ｔ４から入力される光信号の波長は，上述の反対であっても良いし，ＷＤＭ装置８において波長分割多重できる波長関係であれば良い。更にＷＤＭ装置８には主たる光入力（つまりはＣＡＴＶセンターからの下り光信号）の他に，外部からの光信号を１つ入力するように構成したが，この実施例に限定されるものではなく複数本入力できるように構成しても良い。尚，前記ＷＤＭ装置８は着脱自在に構成しても良い。
【００１８】
次に図１（ａ）に示す光送受信機１３を用いたＣＡＴＶシステムについて説明する。図２は本願の実施形態におけるＣＡＴＶシステムの全体構成を示す概略ブロック図であり，図２に示すように本願のＣＡＴＶシステムは，ＣＡＴＶセンター１１から下りの光信号を下り用光ファイバ１２ｂを介して光送受信機１３の光受信機１３ｂまで伝送し，当該光受信機１３ｂで受信した下りの光信号を電気信号に変換した後に，同軸ケーブル１４，幹線分配増幅器１５等の各種中継機器を介して図示されない加入者宅の端末装置へ伝送されるように構成されていると共に，加入者宅の端末装置から前述のような各種中継機器を介して出力された上りの電気信号は，前記光送受信機１３の光送信機１３ａにおいて光信号に変換され，上り用光ファイバ１２ａを介してＣＡＴＶセンター１１へ伝送するように構成されたシステムであって，特に既設のＨＦＣ伝送システムにおいて，下り用光ファイバ１２ｂと上り用光ファイバを利用してノードの細分化によるネットワークの品質向上，高速化を容易に実施できるシステムを構成している。
【００１９】
更に詳しく説明すると，ＣＡＴＶセンター１１は，アンテナ１１ａで受信した地上のテレビ放送や，アンテナ１１ｂで受信した衛星放送，或いは通信衛星からの各種電波を受信して，当該電波をＣＡＴＶ伝送路に伝送しやすい下り電気信号に加工して加入者側へ送出するためのヘッドエンド装置１０を備えており，当該ヘッドエンド装置１０から出力された下り電気信号は，光送信機１８に入力される。そして，光送信機１８にて光信号に変換された下り光信号は下り用光ファイバ１２ｂを介して光送受信機１３へ伝送される。
【００２０】
また，ＣＡＴＶセンター１１には，ＣＡＴＶシステムとインターネットとを接続するために，ルータ１７ｃ，ハブ１７ｂ，サーバー群１７ｄ，及びセンターモデム等が備えられている。
尚，サーバー群１７ｄは図面を簡略化するように書かれているが，例えばＩＰアドレスを管理するためのＤＮＳ（ドメインネームシステム）サーバーやメールサーバー，Ｗｅｂサーバー等の各種サーバーから構成されている。これによってインターネットからの各種データはルータ１７ｃ，ハブ１７ｂ，センターモデム１７ａを介してヘッドエンド装置１０に入力された後，テレビ放送当の信号と共に下り信号として送出され前記光送受信機１３に入力される。
【００２１】
光送受信機１３に入力された下り光信号は，光受信機１３ｂにおいて下り電気信号に変換されて，同軸ケーブル１４，幹線分配増幅器１５，幹線分岐増幅器２３，２４，分岐増幅器２５，タップオフ２６等の各種中継器を介して各加入者宅内の端末装置に送出される。
【００２２】
一方，加入者側の端末装置から出力される上り電気信号は，前記各種中継器を介して前記光送受信機１３の光送信機１３ａに入力されることで光信号に変換された後，上り用光ファイバ１２ａに送出される。この光信号の波長は例えば１．３１μｍの光信号を用いる。
ここで，上り信号の経路について更に詳しく説明する。ネットワークの高品質化，高速化を実現するためには，上述のような上り伝送路だけでは実現し難いので更なるノードの細分化を行うのであるが，例えばこの方法の一例として，既設の幹線分岐増幅器２３を光信号にも対応するものに変更することによってセルの細分化を図るのである。
【００２３】
本願の実施例によれば，幹線分岐増幅器２３に上り信号用の光送信機２３ａを備えさせ，上り電気信号を当該光送信機２３ａで上り光信号に変換し，この上り光信号を光ファイバ２２ａに送出するように構成されている。この光信号の波長は例えば１．５５μｍ帯の光信号を用いる。
尚，本願の実施例においては幹線分岐増幅器２３を上り光信号対応にする例を示したが，この実施例に限定されるものではなく幹線増幅器や幹線分配増幅器を上り光対応にしても良い。また，これらの増幅器に備える光送信機をユニット化することにより，前記増幅器の内部に着脱自在に固着するように構成することによって，加入者が少ない内は上り・下りの電気信号を増幅する増幅器として使用してシステムを構築し，加入者が増えた時点で各増幅器に前記上り光送信ユニットを内蔵させることによって光送信機として動作させることによって，当該光送信機からの光信号を上記光送受信機で後述のように波長分割多重し，これによって既設の光ファイバーを用いることで簡単な工事で安価にネットワークの高速化・高品質化に対応できるのである。
【００２４】
次に，前記光送信機２３ａは光ファイバ２２ａを介してＷＤＭ装置５に接続される。このＷＤＭ装置５は前記筐体３３に収納されている。
前記ＷＤＭ装置５は図２に示すようにＣＡＴＶセンター１１から光送受信機１３に引き込まれれた上り信号用光ファイバ１２ａに介設されており，このＷＤＭ装置５によって，光送信機１３ａから入力された上り光信号（波長１．３１μｍ）と光ファイバ２２ａを介して入力された上り光信号（波長１．５５μｍ）とが波長分割多重され，この波長分割多重された光信号は光ファイバ１２ａを介してＣＡＴＶセンター１１に送出される。
【００２５】
ＣＡＴＶセンターにはＷＤＭ装置６が備えられている。このＷＤＭ装置６は波長分割多重された光信号を分離する光分波器であり，光ファイバ１２ａでもって入力された光信号を，波長１．３１μｍの上り信号と波長１．５５μｍの上り信号に分波する。そして波長１．３１μｍの上り信号は光信号を電気信号に変換する光受信機１６ａに入力され，波長１．５５μｍの上り信号は光受信機１６ｂに入力されそれぞれ電気信号に変換されてヘッドエンド装置１０に入力されるのである。
【００２６】
このように本願の実施例によれば，既設のＣＡＴＶシステムを利用してネットワークの高品質化・高速化に対応するために，システムのセルを細分化し新しくノード（本願の実施例においては光対応の幹線分岐増幅器２３）を増やしても，当該追加したノード２３とＣＡＴＶセンター１１との間を新しく光ファイバを設置しなくとも，前記光送受信機１３にＷＤＭ装置５を内蔵させ，当該ＷＤＭ装置５と追加したノード２３との接続を短い距離の光ファイバで接続して，既設のシステムの上り光信号と新しく追加した上り光信号とを波長分割多重することで，既設の光ファイバを利用してネットワークの高品質化・高速化が簡単な工事で実現できるのである。
【００２７】
尚，本願の実施例では既設のＣＡＴＶシステムの高品質化・高速化に対応させるシステムとして説明したが，この実施例に限定されるものでなく，新規のシステムにも応用できることはいうまでもない。
また，このシステムでは，光送受信機１３の光送信機１３ａから送出される上り光信号と光送信機２３ａから送出される上り光信号はＷＤＭ装置５において波長分割多重できるようそれぞれ異なる波長であればよく，上述の波長の光信号に限定されるものではない。更にはノイズの影響を考慮して波長の間隔を適宜に選択することで更に特性の良いＣＡＴＶシステムが構成できる。
【実施例２】
【００２８】
次に本発明の第２の実施形態として図３を参照して説明する。尚，以下の説明では，上記第１の実施形態と同様の構成要素については同一符号を付与し，詳細な説明は省略する。                            
【００２９】
この実施例は，下り信号用光ファイバ１２ｂにもＷＤＭ装置を介設することで更にセルの分割を細かくできるＣＡＴＶシステムを提供するものである。
図３に示すように下り信号はヘッドエンド装置１０から光送信機１８において光信号（波長＝１．３１μｍ）に変換された後，ＷＤＭ装置７である光混合／分波器に入力されて光ファイバ１２ｂに送出される。この光ファイバ１２ｂは光送受信装置１３に引き込まれるのであるが，当該光送受信装置１３にはＷＤＭ装置８が内蔵させてあり，当該ＷＤＭ装置８は前記下り信号を光受信機１３ｂに出力すると共に，上述の幹線分岐増幅器２３とは異なる位置に配設された幹線分岐増幅装置に備えた光送信機２３ａから光ファイバ２２ｂを介して送出された上り光信号（波長＝１．５５μｍ）を波長分割多重して光ファイバ１２ｂを介してＣＡＴＶセンターに接続するように構成されている。光ファイバ１２ｂを介してＣＡＴＶセンターに送られた上り光信号は，前記ＷＤＭ装置７において分波されて光受信機１６ｅに入力され電気信号に変換されるのである。
【００３０】
このように，光送受信機１３にはＣＡＴＶセンター１１と光送受信機１３とを接続する上り用光ファイバ１２ａと下り用光ファイバ１２ｂのそれぞれにＷＤＭ装置５，８を介設し，ＷＤＭ装置５において，上り用光ファイバには光送受信機１３の光送信機１３ａから送出される上り光信号と光送信機２３ａにおいて上り光信号に変換された信号とが波長分割多重された信号を伝送すると共に，下り用光ファイバにはＣＡＴＶセンター側から入力される下り信号と光送信機２３ａにおいて上り光信号に変換された信号とが波長分割多重された信号を伝送されるように構成したので，セルの更なる分割が可能となり，加えてこれによってノードが増えても既存の光ファイバを用いて大勢の加入者が存在するＣＡＴＶシステムとなっても簡単で安価に高品質化・高速化が可能なサービスが提供できるのである。
【００３１】
尚，本願の実施例のように既設のＣＡＴＶシステムの高品質化・高速化に対応させることもできるし，新規のシステムにも応用できることはいうまでもない。
また，このシステムにおいても，波長分割多重できるようそれぞれ異なる波長であればよく，上述の波長の光信号に限定されるものではない。更にはノイズの影響を考慮して波長の間隔を適宜に選択することで更に特性の良いＣＡＴＶシステムが構成できる。更に光送受信機からに送受される信号は同じ波長の信号とした実施例を示したが，この実施例に限定されるものではなく，異なる波長の光信号で構成しても良い。
尚，本発明は上記実施の形態に限定されるものではなく，本発明の趣旨を逸脱しない範囲で各部の構成を適宜に変更して実施することも可能である。
【図面の簡単な説明】
【００３２】
【図１】本発明に係る光送受信機の構成を示す概略ブロック図（ａ）は実施例，（ｂ）は異なる実施例を示す。
【図２】本発明に係るＣＡＴＶシステム全体構成を示す概略ブロック図である。
【図３】本願の異なるＣＡＴＶシステムの全体構成を示す概略ブロック図である。
【符号の説明】
【００３３】
５…ＷＤＭ装置，６…ＷＤＭ装置，７…ＷＤＭ装置，８…ＷＤＭ装置，１０…ヘッドエンド装置，１１…ＣＡＴＶセンター，１１ａ…地上波用アンテナ，１１ｂ…衛星用アンテナ，１２…光ファイバケーブル，１２ａ…上り用光ファイバ，１２ｂ…下り用光ファイバ，１３…光送受信機，１３ａ…光送信機，１３ｂ…光受信機，１４…同軸ケーブル，１５…幹線分配増幅器，１６ａ，１６ｂ，１６ｆ…光受信機，１７ａ…センターモデム，１７ｂ…ハブ，１７ｃ…ルータ，１７ｄ…サーバー類，１８…光送信機，１９…ステイタスモニタ，２２ａ，２２ｂ…上り用光ファイバ，２３…光対応幹線分岐増幅器，２４…幹線分岐増幅器，２５…分岐増幅器，２６…タップオフ，３３…筐体，３３ａ…光ファイバ，３３ｂ…光ファイバ
【図１】
2005236412.tif 000003
【図２】
2005236412.tif 000004
【図３】
2005236412.tif 000005